(57)【要約】  本発明は、暗号通貨を含むブロックチェーン基盤のデジタル資産を媒介体とする両替及び外国為替取引方法に関し、待ち時間が長くなるブロックチェーン基盤のデジタル資産を取引所間移転する方法を排除して一つの取引所内で異種通貨で取引される環境を利用し、互いに異なる通貨で取引する多数の取引所が契約などによって前記デジタル資産を共有する環境、または前記デジタル資産を直接共有しなくても取引所間取引情報を共有する環境を利用してブロックチェーン基盤のデジタル資産取引所で前記デジタル資産を媒介体とする外国為替市場を造成することによって、需要者が直接市場の買い−売りスプレッドの適用を受けて経済的損失なしに容易かつ速く両替する方法を提供することにその目的がある。
2021512439.tif 000002
【特許請求の範囲】
【請求項１】
一つの暗号通貨を含むブロックチェーン基盤のデジタル資産が一つの取引所内で二つ以上の通貨で取引されるか、互いに異なる通貨で取引する取引所同士が契約などにより前記デジタル資産を共有するか、または互いに異なる通貨で取引する取引所同士が前記デジタル資産の取引に関する情報を共有する時、
ａ）前記ブロックチェーン基盤のデジタル資産に対して外国為替取引仲介サーバー（６）がＡ通貨基準に取引される買い−売り呼び値及び待機残高情報をＡ通貨基準ブロックチェーン基盤のデジタル資産取引サーバーから受信する過程と、
ｂ）前記ブロックチェーン基盤のデジタル資産に対して外国為替取引仲介サーバー（６）がＢ通貨基準に取引される買い−売り呼び値及び待機残高情報をＢ通貨基準ブロックチェーン基盤のデジタル資産取引サーバーから受信する過程と、
ｃ）外国為替取引仲介サーバー（６）が前記Ａ通貨基準ブロックチェーン基盤のデジタル資産買い呼び値及び待機残高とＢ通貨基準ブロックチェーン基盤のデジタル資産売り呼び値及び待機残高を考慮してＡ通貨基準外国為替買い呼び値及び待機残高を算出し、またはＢ通貨基準外国為替売り呼び値及び待機残高を算出する過程と、
ｄ）外国為替取引仲介サーバー（６）が前記Ａ通貨基準ブロックチェーン基盤のデジタル資産売り呼び値及び待機残高とＢ通貨基準ブロックチェーン基盤のデジタル資産買い呼び値及び待機残高を考慮してＡ通貨基準外国為替売り呼び値及び待機残高を算出し、またはＢ通貨基準外国為替買い呼び値及び待機残高を算出する過程からなることを特徴とする、暗号通貨を含むブロックチェーン基盤のデジタル資産を媒介体とする両替及び外国為替取引方法。
【請求項２】
前記ａ）と前記ｂ）の過程は、順序が変わるかまたは同時に起きる過程であり、前記ｃ）過程と前記ｄ）過程とは、順序が変わるか同時に起きる過程である、請求項１に記載の暗号通貨を含むブロックチェーン基盤のデジタル資産を媒介体とする両替及び外国為替取引方法。
【請求項３】
前記ｃ）過程とｄ）過程でＡ通貨またはＢ通貨基準に計算した結果を外国為替取引仲介サーバー（６）が両替需要者端末２からの選択に応じて変換して示すことができる、請求項１に記載の暗号通貨を含むブロックチェーン基盤のデジタル資産を媒介体とする両替及び外国為替取引方法。
【請求項４】
前記外国為替取引仲介サーバー（６）は、待機残高を考慮しなかった最善の外国為替買い−売り呼び値もしくはその平均値、またはその逆数を現在の価格で公示するように処理する、請求項１に記載の暗号通貨を含むブロックチェーン基盤のデジタル資産を媒介体とする両替及び外国為替取引方法。
【請求項５】
前記外国為替取引仲介サーバー（６）は、実在する外国為替市場の公示価格を共に表示する、請求項１に記載の暗号通貨を含むブロックチェーン基盤のデジタル資産を媒介体とする両替及び外国為替取引方法。
【請求項６】
前記外国為替取引仲介サーバー（６）は、両替需要者の要請を受信して現在の両替可能な為替レートが両替需要者の要請以上（超過）または以下（未満）に到達した時自動で取引を処理する、請求項１に記載の暗号通貨を含むブロックチェーン基盤のデジタル資産を媒介体とする両替及び外国為替取引方法。
【請求項７】
一つの暗号通貨を含むブロックチェーン基盤のデジタル資産が一つの取引所内で二つ以上の通貨で取引されるか、互いに異なる通貨で取引する取引所同士が契約などにより前記デジタル資産を共有するか、または互いに異なる通貨で取引する取引所同士が前記デジタル資産取引に関する情報を共有する時、
ａ）外国為替取引仲介サーバー（６）がＡ通貨の一定金額に対するＢ通貨への両替要請を両替需要者から受信する過程と、
ｂ）前記一定金額のうち全部または一部のＡ通貨で単一または多数のブロックチェーン基盤のデジタル資産売り待機者から前記デジタル資産を買う過程と、
ｃ）前記買ったブロックチェーン基盤のデジタル資産をＢ通貨で単一または多数のブロックチェーン基盤のデジタル資産買い待機者に売る過程と、
ｄ）前記売ったＢ通貨を両替需要者に支給する過程からなる、暗号通貨を含むブロックチェーン基盤のデジタル資産を媒介体とする両替及び外国為替取引方法。
【請求項８】
空売りを利用して、前記ｃ）過程以後ｂ）過程で清算する、請求項７に記載の暗号通貨を含むブロックチェーン基盤のデジタル資産を媒介体とする両替及び外国為替取引方法。
【請求項９】
暗号通貨を含むブロックチェーン基盤のデジタル資産が一つの取引所内で二つ以上の通貨で取引されるか、互いに異なる通貨で取引する取引所同士が契約などにより前記デジタル資産を共有するか、または互いに異なる通貨で取引する取引所同士が前記デジタル資産の取引に関する情報を共有する時、
ａ）外国為替取引仲介サーバー（６）がＡ通貨の一定金額に対するＢ通貨への両替要請を両替需要者から受信する過程と、
ｂ）単一または多数のＡ通貨基準ブロックチェーン基盤のデジタル資産売り待機者に前記一定金額の全部または一部を支給して前記デジタル資産の全部または一部を単一または多数のＢ通貨基準ブロックチェーン基盤のデジタル資産買い待機者に移転する過程と、
ｃ）前記単一または多数のＢ通貨基準ブロックチェーン基盤のデジタル資産買い待機者の買い待機金額のうち全部または一部を両替需要者に支給する過程からなる、暗号通貨を含むブロックチェーン基盤のデジタル資産を媒介体とする両替及び外国為替取引方法。
【発明の詳細な説明】
【技術分野】
【０００１】
本発明は、暗号通貨を含むブロックチェーン基盤のデジタル資産を媒介体とする外国為替取引の方法に関し、より詳細には一つの暗号通貨を含むブロックチェーン基盤のデジタル資産が一つの取引所内で互いに異なる通貨単位で取引されたり、取引所間で前記デジタル資産が共有され、または関連取引情報が共有されたりする特性を利用して、ある通貨を他の通貨に交換することを前記ブロックチェーン基盤のデジタル資産を媒介体として容易かつ速く実行する方法に関するものである。
【背景技術】
【０００２】
周知のように、従来の両替業務は銀行を利用して両替手数料またはスプレッドを支払って一つの通貨を他の通貨に交換する方法であって、該当手数料またはスプレッドが両替に係る銀行の収益となる。この時適用されるスプレッドは、外国為替市場で銀行に適用される基準為替レートに対比して大きい差があり、両替取引に係る両替需要者の経済的損失が非常に大きい。
【０００３】
一方、ブロックチェーン基盤のデジタル資産とは、取引記録などがブロックチェーンネットワーク上に暗号化されて記録されて偽造または変造が非常に難しい資産であって、代表的な例として暗号通貨（Ｃｒｙｐｔｏ  ｃｕｒｒｅｎｃｙ）がある。暗号通貨は、ブロックチェーン技術を利用した暗号を使って取引を安全に進行できるように媒介する無形の取引記録またはその結果であってデジタル通貨または仮想通貨の一種である。代表的な例としてビットコイン、イーサリアムなどがあり、世界的に暗号通貨を取引する１６，２００個余りの暗号通貨取引所が２，１００種類余りの暗号通貨を取引している。
【０００４】
このような暗号通貨は、一つの統一された通貨単位として国家間資本移動に寄与すると予想されるが、暗号通貨の送金は該当通貨の採掘者の暗号化作業を必須的に伴うので短くて１０分余りから長くて何日かかかるという不便な点がある。また、暗号通貨の特性上理論的価値評価の基準がないので、市場で取引される価格の変動が非常に大きくて、前記の送金遅延時間の間に価値変動の危険に晒されるので、暗号通貨を利用した国家間資本移動が現実化されることは難しいのが現状である。
【０００５】
これを解決するためには、暗号通貨に対する信用取引の一種である空売りを利用したり派生商品を結合して価格変動危険を回避したりする方法があるが、通常信用取引や派生商品を取引するためには証拠金を必要とするので送金額以外の追加資本が必要であるため、既存の銀行を利用した送金方法に対比して大きいメリットがない。
【０００６】
かかる従来の技術は、先に説明した通り、過度な手数料やスプレッドによって経済的損失が発生したり暗号通貨を使った両替も不要な価格変動危険に晒されたりする状況であるため、改善が切に求められている。
【発明の概要】
【発明が解決しようとする課題】
【０００７】
本発明は、前記従来技術の事情を勘案してなされたもので、待ち時間が長くなるブロックチェーン基盤のデジタル資産を取引所間で移転する方法を排除して一つの取引所内で異種通貨で取引される環境を利用し、互いに異なる通貨で取引する多数の取引所が契約などによって前記デジタル資産を共有する環境、または、前記デジタル資産を直接共有しなくても取引所間で取引情報を共有する環境を利用してブロックチェーン基盤のデジタル資産取引所で前記デジタル資産を媒介体とする外国為替市場を作ることによって、需要者が市場での買い−売りスプレッドの適用を直接受けて経済的損失なしに容易かつ速く両替する方法を提供することにその目的がある。
【課題を解決するための手段】
【０００８】
前記目的を達成するために、本発明の望ましい実施例によれば、一つの暗号通貨を含むブロックチェーン基盤のデジタル資産が一つの取引所内で二つ以上の通貨で取引されたり、互いに異なる通貨で取引する取引所が同士契約などにより前記デジタル資産を共有したり、または互いに異なる通貨で取引する取引所同士が前記デジタル資産の取引に関する情報を共有したりする時、ａ）前記ブロックチェーン基盤のデジタル資産に対して外国為替取引仲介サーバー６がＡ通貨基準に取引される買い−売り呼び値及び待機残高情報をＡ通貨基準ブロックチェーン基盤のデジタル資産取引サーバーから受信する過程と、ｂ）前記ブロックチェーン基盤のデジタル資産に対して外国為替取引仲介サーバー６がＢ通貨基準に取引される買い−売り呼び値及び待機残高情報をＢ通貨基準ブロックチェーン基盤のデジタル資産取引サーバーから受信する過程と、ｃ）外国為替取引仲介サーバー６が前記Ａ通貨基準ブロックチェーン基盤のデジタル資産買い呼び値及び待機残高とＢ通貨基準ブロックチェーン基盤のデジタル資産売り呼び値及び待機残高を考慮してＡ通貨基準外国為替買い呼び値及び待機残高を算出したりＢ通貨基準外国為替売り呼び値及び待機残高を算出したりする過程と、ｄ）外国為替取引仲介サーバー６が前記Ａ通貨基準ブロックチェーン基盤のデジタル資産売り呼び値及び待機残高とＢ通貨基準ブロックチェーン基盤のデジタル資産買い呼び値及び待機残高を考慮してＡ通貨基準外国為替売り呼び値及び待機残高を算出したりＢ通貨基準外国為替買い呼び値及び待機残高を算出したりする過程からなることを特徴とする暗号通貨を含むブロックチェーン基盤のデジタル資産を媒介体とする両替及び外国為替取引方法が提供される。
【０００９】
好ましくは、前記ａ）と前記ｂ）の過程は順序が変わったり同時に起きたりする過程、及び、前記ｃ）と前記ｄ）の過程は順序が変わったり同時に起きる過程を特徴とする暗号通貨を含むブロックチェーン基盤のデジタル資産を媒介体とする両替及び外国為替取引方法が提供される。
【００１０】
好ましくは、前記ｃ）過程とｄ）過程でＡ通貨またはＢ通貨基準に計算した結果を外国為替取引仲介サーバー６が両替需要者端末２からの選択に応じて変換して見せることができることを特徴とする暗号通貨を含むブロックチェーン基盤のデジタル資産を媒介体とする両替及び外国為替取引方法が提供される。
【００１１】
好ましくは、前記外国為替取引仲介サーバー６は待機残高を考慮しなかった最善の外国為替買い−売り呼び値もしくはその平均値、またはその逆数を現在の価格で公示するように処理することを特徴とする暗号通貨を含むブロックチェーン基盤のデジタル資産を媒介体とする両替及び外国為替取引方法が提供される。
【００１２】
好ましくは、前記外国為替取引仲介サーバー６は実在する外国為替市場の公示価格を共に表示する暗号通貨を含むブロックチェーン基盤のデジタル資産を媒介体とする両替及び外国為替取引方法が提供される。
【００１３】
好ましくは、前記外国為替取引仲介サーバー６は両替需要者の要請を受信して現在の両替可能な為替レートが両替需要者の要請以上（超過）または以下（未満）に到達した時自動で取引を処理する、暗号通貨を含むブロックチェーン基盤のデジタル資産を媒介体とする両替及び外国為替取引方法が提供される。
【００１４】
一方、本発明は一つの暗号通貨を含むブロックチェーン基盤のデジタル資産が一つの取引所内で二つ以上の通貨で取引されたり、互いに異なる通貨で取引する取引所同士が契約などにより前記デジタル資産を共有したり、または互いに異なる通貨で取引する取引所同士が前記デジタル資産取引に関する情報を共有したりする時、ａ）外国為替取引仲介サーバー６がＡ通貨の一定金額に対するＢ通貨への両替要請を両替需要者から受信する過程と、ｂ）前記一定金額のうち全部または一部のＡ通貨で単一または多数のブロックチェーン基盤のデジタル資産売り待機者から前記デジタル資産を買収する過程と、ｃ）前記買収したブロックチェーン基盤のデジタル資産をＢ通貨で単一または多数のブロックチェーン基盤のデジタル資産買い待機者に売る過程と、ｄ）前記売ったＢ通貨を両替需要者に支給する過程からなることを特徴とする暗号通貨を含むブロックチェーン基盤のデジタル資産を媒介体で両替及び外国為替取引方法が提供される。
【００１５】
好ましくは、空売りを利用して前記ｃ）過程以後ｂ）過程で清算することを特徴とする暗号通貨を含むブロックチェーン基盤のデジタル資産を媒介体とする両替及び外国為替取引方法が提供される。
【００１６】
一方、本発明は一つの暗号通貨を含むブロックチェーン基盤のデジタル資産が一つの取引所内で二つ以上の通貨で取引されたり、互いに異なる通貨で取引する取引所同士が契約などにより前記デジタル資産を共有したり、または互いに異なる通貨で取引する取引所同士が前記デジタル資産取引に関する情報を共有したりする時、ａ）外国為替取引仲介サーバー６がＡ通貨の一定金額に対するＢ通貨への両替要請を両替需要者から受信する過程と、ｂ）単一または多数のＡ通貨基準ブロックチェーン基盤のデジタル資産売り待機者に前記一定金額の全部または一部を支給して前記デジタル資産の全部または一部を単一または多数のＢ通貨基準ブロックチェーン基盤のデジタル資産買い待機者に移転する過程と、ｃ）前記単一または多数のＢ通貨基準ブロックチェーン基盤のデジタル資産買い待機者の買収待機金額のうち全部または一部を両替需要者に支給する過程からなることを特徴とする暗号通貨を含むブロックチェーン基盤のデジタル資産を媒介体とする両替及び外国為替取引方法が提供される。
【発明の効果】
【００１７】
本発明に係る暗号通貨を含むブロックチェーン基盤のデジタル資産を媒介体とする両替及び外国為替取引方法は、外国為替需要者が市場でブロックチェーン基盤のデジタル資産を媒介として両替及び外国為替取引を直接行うことができるようにするので、外国為替需要者の買い−売りスプレッドを最小化することができ、一つの取引所内で取引が終結したり取引所間契約などによりブロックチェーン基盤のデジタル資産を共有したりするので、前記デジタル資産の移転手続きが存在せず移転の遅延時間の間の前記デジタル資産価格変動危険に晒される余地がない。更に、取引所間で両替取引の情報を共有する方法でブロックチェーン基盤のデジタル資産の共有なしに事後精算する方法で価格変動の危険を回避することもできる。
【図面の簡単な説明】
【００１８】
【図１】本発明に係る暗号通貨を含むブロックチェーン基盤のデジタル資産を媒介体とする両替及び外国為替取引システムの構成を図示した模式図である。
【図２】一つの暗号通貨を含むブロックチェーン基盤のデジタル資産に対して二種類の通貨で取引される構造の例示図である。
【図３】暗号通貨を含むブロックチェーン基盤のデジタル資産を媒介体にした両替取引の構造図及び例示図である。
【図４】一つの暗号通貨を含むブロックチェーン基盤のデジタル資産に対して二種類の通貨で取引される買い−売り呼び値及び待機残高の例示図である。
【図５】二種類の通貨の買い−売り呼び値及び待機残高を利用して外国為替市場を表現する概念図である。
【図６】図５の概念図を算出する順序図の例示である。
【図７】図６の結果を算出して外国為替市場を表現した例示図である。
【発明を実施するための形態】
【００１９】
以下、本発明について図面を参照して詳細に説明する。
【００２０】
図１は、本発明に係る暗号通貨を含むブロックチェーン基盤のデジタル資産を媒介体とする両替及び外国為替取引システムの構成を示した模式図、図２は、一つの暗号通貨を含むブロックチェーン基盤のデジタル資産に対して二種類の通貨で取引される構造の例示、図３は、暗号通貨を含むブロックチェーン基盤のデジタル資産を媒介体にした両替取引の構造図及び例示、図４は、一つの暗号通貨を含むブロックチェーン基盤のデジタル資産に対して二種類の通貨で取引される買い−売り呼び値及び待機残高の例示、図５は、二種類の通貨の買い−売り呼び値及び待機残高を利用して外国為替市場を表現する概念図、図６は、図５の概念図を算出する計算順序図の例示、図７は、図６の結果を算出して外国為替市場を表現した例示である。
【００２１】
これを参照すると、本発明の一実施例に係る暗号通貨を含むブロックチェーン基盤のデジタル資産を媒介体とする両替及び外国為替取引方法は、外国為替需要者が直接市場で暗号通貨を含むブロックチェーン基盤のデジタル資産を媒介として両替及び外国為替取引を行うようにするので外国為替需要者の買い−売りスプレッドを最小化することができ、一つの取引所内で取引が終結したり取引所間契約などにより暗号通貨を含むブロックチェーン基盤のデジタル資産を共有したりするので暗号通貨を含むブロックチェーン基盤のデジタル資産の移転手続きが存在せず移転の遅延時間の間の価格変動危険に晒される余地がなく、取引所間両替取引情報を共有して事後精算する方法で価格変動危険を回避できる効率的かつ効果的な両替及び外国為替取引方法である。
【００２２】
以下、ブロックチェーン基盤のデジタル資産は、最も代表的な暗号通貨を挙げて、一つの取引所内で一つの暗号通貨が二つ以上の通貨で取引される場合をまず説明する。
【００２３】
より詳細に、図１のように外国為替取引仲介サーバー６が一つの暗号通貨に対して二つ以上の通貨で取引される取引市場の取引サーバーから各市場の呼び値と待機残高情報を収集してデータを処理した後に外国為替仲介情報出力アプリケーション６を介して両替需要者端末２に情報を提供する。また、両替需要者の両替要請を外国為替取引仲介サーバー６が受信して両替取引を行う。前記外国為替取引仲介サーバー６は、単一サーバーが担当してもよく取引と管理の効率性のために多数のサーバーに分離してもよい。
【００２４】
一実施例で、一つの暗号通貨に対して二種類の通貨で取引される状況は図２の通りである。実際に大韓民国内の暗号通貨取引所は、法定通貨としてのウォン貨単一市場だけ取り扱っているが、例えばＢｉｔｆｉｎｅｘ、ＧＤＡＸ、Ｋｒａｋｅｎなど海外の暗号通貨取引所のうち一部は多数の法定通貨を基準に暗号通貨を取引している。このような一つの暗号通貨に対して多数の法定通貨の市場が活性化されると、これを基に暗号通貨を媒介体にした両替及び外国為替取引を構成することができる。
【００２５】
つまり、図２のように一つの暗号通貨であるＢＴＣに対して一つの取引所内で二種類の通貨であるウォン貨とドルで取引が同時に起きると、図３のような方法によりウォン貨でＢＴＣを買って直ちにドルでＢＴＣを売る方法でウォン貨をドルに両替する効果をみることができる。この方法は一つの取引所内で発生するので暗号通貨を他の取引所など他人に送金する必要がないため、買い以後売りまでの送金待ち時間が存在しない。従って、買い直後に売りができるので価格変動危険に晒されないため従来の技術である空売りや派生商品を結合する必要もなくなる。
一方、ＢＴＣの買い直後売りが起きるので、二つの取引を一つの取引に統合することができる。
【００２６】
好ましくは、ウォン貨市場ＢＴＣ売り手に両替需要者のウォン貨を支払ってＢＴＣをドル市場買い手に移転した後該当ドルを両替需要者に支払うと買い−売り二種類の取引を３者間単一取引に統合することができる。
【００２７】
この方法を用いるとＢＴＣの取引ごとに発生する取引手数料を節約することができる。つまり、二回の取引を一回の取引で短縮させたので、既存に対比して半分の手数料が可能になる。さらに、この方法は暗号通貨の取引に対して取引税や損益に対する課税が発生する国では、両替需要者は暗号通貨を取引しなかったので不要な課税の可否を判断することができないこともある。
【００２８】
前記一実施例と逆の方法でドルをウォン貨に両替することもできる。つまり、ドルでＢＴＣを買って直ちにウォン貨でＢＴＣを売ると、ドルをウォンに両替した効果と同じになる。もちろんこの場合も前記３者間の単一取引に統合することができる。
【００２９】
このように一つの取引所内で一つの暗号通貨に対して二つ以上の通貨で取引される環境が存在すると、両替需要者は暗号通貨を媒介体にして直接両替をすることができ、ここに消耗する費用は取引所に支払う取引手数料だけで、直接市場のスプレッドの適用を受けるので最小の費用で両替をすることができる。
【００３０】
ただし、両替需要者の目的は両替であるだけで、暗号通貨の取引は目的ではないので図４のように表現される暗号通貨に対する買い−売り呼び値及び待機残高では両替取引が容易ではなく、暗号通貨の買いとその後の売りまで人が直接行うと誤ったり間違ったりして価格変動危険に晒される余地がある。従って、本発明では両替需要者に適合するように図３のデータを加工して外国為替市場のような様子で表現して両替需要者が理解しやすくし、両替需要者の要請があれば自動で暗号通貨を買って即時に売って価格変動の危険を取り除く方法が提供される。
【００３１】
より詳細に、Ａ通貨とＢ通貨に対する暗号通貨取引市場は図４のとおりである。この時、Ａ通貨をＢ通貨に交換しようとする両替需要者は、Ａ通貨市場で暗号通貨を買収してＢ通貨市場に売らなければならない。Ａ通貨市場で暗号通貨を買うため、Ａ通貨基準で売ろうとする取引相手方からＰＡ１の価格でＱＡ１以内の数量を買わなければならず、仮に両替目的金額が最も低い売り待機（気配）残高の総額であるＰＡ１とＱＡ１の積を合計で超えるとそれより一段階高い価格であるＰＡ２の価格で購入しなければならない。仮に両替目的金額がＰＡ１とＱＡ１の積とＰＡ２とＱＡ２の積を超えてしまうと、同様の論理によってそれよりさらに一段階高い価格であるＰＡ３の価格で買わなければならない。
【００３２】
以後、このように購入した暗号通貨をＢ通貨市場にＰＢ−１の価格で売らなければならない。仮に売ろうとする暗号通貨数量が最も高い買い待機（気配）残高であるＱＢ−１を超えるとそれより一段階低い価格であるＰＢ−２の価格で売らなければならない。
【００３３】
このような取引方式によって、一実施例として、Ａ通貨をＢ通貨に両替しようとする暗号通貨を媒介体とする外国為替市場の買い−売り待機（気配）残高及び買い−売りの価格構造は図５のとおりである。つまり、 ＱＡ１と ＱＢ−１の中で小さい値であるＱＡ１まではＰＡ１／ＰＢ−１の価格で両替できて、ＱＢ−１‐ ＱＡ１だけはＰＡ２／ＰＢ−１の価格で両替することができる。さらに、ＱＡ２＋ＱＡ１‐ＱＢ−１だけはＰＡ２／ＰＢ−２の価格で両替することができ、ＱＡ３だけはＰＡ３／ＰＢ−２の価格で両替することができる。
【００３４】
上記の一実施例のように各区間別数量及び該当する価格は、Ａ通貨市場とＢ通貨市場の取引規模及び取引待機（気配）残高により計算構造が変わってもよく、これを考慮した計算構造の一実施例は図６のようになり、前記外国為替取引仲介サーバー６がこのような演算を処理して外国為替仲介情報出力アプリケーション４を介して両替需要者端末２に出力する。
【００３５】
より詳細に、前記外国為替取引仲介サーバー６は、初期値としてＲ＝０、ｉ＝０、ｊ＝０を設定する。以後Ｒ値に応じて実行手続きが異なってその手続きは次のとおりである。
【００３６】
仮にＲ＝０ならｉ＝ｉ＋１、ｊ＝ｊ＋１と新しい値を設定する。そして取引待機（気配）残高はＭｉｎ［ＱＡｉ、ＱＢ−ｊ］の値を出力して、取引価格はＰＡｉ／ＰＢ−ｊの値を出力した後、Ｒ＝ＱＡｉ‐ＱＢ−ｊ に再設定する。
【００３７】
仮にＲ＞０なら、ｊ＝ｊ＋１と新しい値を設定して、待機（気配）残高はＭｉｎ［Ｒ、ＱＢ−ｊ］の値を出力して、取引価格は ＰＡｉ／ＰＢ−ｊの値を出力した後、Ｒ＝Ｒ−ＱＢ−ｊに再設定する。
【００３８】
仮にＲ＜０なら、ｉ＝ｉ＋１と新しい値を設定して、待機（気配）残高はＭｉｎ［−Ｒ、ＱＡ−ｉ］の値を出力して、取引価格は ＰＡｉ／ＰＢ−ｊの値を出力した後、Ｒ＝Ｒ＋ＱＡｉに再設定する。
【００３９】
上記三つのうち一つの段階を経た後、ｉまたはｊが最大値であるＮに到達すると、前記外国為替取引仲介サーバー６は出力と演算を終了する。
これによりＡ通貨をＢ通貨に両替しようとする両替需要者に適用できる暗号通貨を媒介体とする外国為替市場を表現することができる。
【００４０】
一方、Ｂ通貨をＡ通貨に両替しようとする両替需要者も同様の方法でアクセスすることができる。まず、Ｂ通貨で暗号通貨を買ってこれを直ちにＡ通貨で売るとＢ通貨をＡ通貨に両替する効果が現れる。したがって、上述した本発明の過程をＡとＢを入れ替えて行うとＢ通貨をＡ通貨に両替しようとする両替需要者に適用できる暗号通貨を媒介体とする外国為替市場を表現することができる。
【００４１】
前記二つのＡ通貨をＢ通貨に両替する過程とＢ通貨をＡ通貨に両替する過程の結果をまとめて表現すると図７の通りである。図７の例示は図５で表示した例示を基に計算された結果であり、これは周知のとおり買い−売り待機（気配）残高の数値に応じて変わる。さらに、計算の便宜のためにＱＡｉ＝ＱＡ−ｉ及びＱＢｊ＝ＱＢ−ｊの対称的な数値を仮定し、実在市場ではこの仮定が成立しない。さらに、従来の外国為替市場と同様に、価格の表示はＡ通貨基準とＢ通貨基準とで二つとも表示することができるのでＰＡ／ＰＢとＰＢ／ＰＡ二つとも可能であり、取引残高であるＱの値は、暗号通貨基準残高であるから、該当区間に適用される適切な乗数（Ａ通貨またはＢ通貨）をかけて表示すれば最終的に暗号通貨を媒介体とする両替及び外国為替取引方法が提供される。
【００４２】
一方、本発明の一実施例に係る前記の暗号通貨を媒介体とする両替及び外国為替取引方法は、取引所の手数料を反映しなかったため、両替需要者が前記市場情報の適用を直接受けないこともある。しかし、暗号通貨取引所は、各暗号通貨投資家の投資額規模に応じて手数料を差別適用することができ、よって一律的に価格及び取引残高を調整することは不可能であるため、この点は反映しなかったし、また、従来の株式市場や外国為替市場も取引呼び値と残高に手数料を反映して表示しないので、その慣例に従って処理した。仮に一律的に手数料を適用するなら該当データに手数料を反映して表示することもでき、各両替需要者に適用される固有の手数料があるならその部分を反映して各々異なる情報を各両替需要者に提供することもできる。
【００４３】
一方、取引残高を考慮しなかった暗号通貨を媒介体とする両替及び外国為替取引の現在の価格は、Ａ通貨基準にＰＡ１／ＰＢ−１とＰＡ−１／ＰＢ１で表現することができるので、前記外国為替取引仲介サーバー６は、該当データまたはその平均値を現在の価格で表示できて、仮にさらに他の暗号通貨で前記過程を通じてさらに他の外国為替市場を造成したならば二つの互いに異なる暗号通貨による外国為替市場の現在価格を比較表示してどちらがより有利か両替需要者に情報を提供することもできる。さらに、実際に外国為替市場でリアルタイムで公示される価格も共に表示することによって外国為替需要者の意志決定を助けることができる。もちろん両替需要者の便宜に応じてＢ通貨基準に上記データの逆数を表示することもできる。
【００４４】
本発明に係る前記過程が従来の外国為替市場と異なる点は、外国為替自体を取引するのではないので、取引残高価格別価格の差（Ｔｉｃｋ  Ｖａｌｕｅ）が一定でなく、外国為替自体を取引するのではないので、外国為替取引自体に対する買い−売り待機（気配）注文が不可能である。代りに、外国為替取引仲介サーバー６は、両替需要者の要請を受信して現在の両替可能な為替レートが両替需要者の要請以上または以下に到達した時自動で取引を処理する方法を提供することもできる。
【００４５】
一方、周知のとおり、一つの暗号通貨について互いに異なる通貨で取引する取引所同士暗号通貨を共有する方法で前記一つの取引所の例示と同じ効果をみることができる。例えば、Ａ通貨でだけ取引する暗号通貨取引所とＢ通貨でだけ取引する暗号通貨取引所が契約などの方式により、暗号通貨を同じ取引所電子財布で共有するならば、この場合も暗号通貨の送金手続きが必要でないので、一つの取引所と同様の効果をみることができる。さらに、暗号通貨を共有しなくても取引情報を共有することによって類似の効果をみることもできる。例えば、Ａ通貨でだけ取引する暗号通貨取引所とＢ通貨でだけ取引する暗号通貨取引所が、暗号通貨を共有しなくても両替関連取引情報を共有して両替需要者の要請に応じて各取引所で暗号通貨を買い−売り取引を起こした後、後に互いに暗号通貨を移転することによって終結する方法で価格変動危険を回避することもできる。
【００４６】
前記両替関連取引情報を共有することの意味は、両替需要者の要請を共有することだけでなく、潜在的両替需要者に暗号通貨を基盤とした外国為替市場情報を伝達するために暗号通貨の買い−売り呼び値及び待機（気配）残高の情報を共有することを含む。もちろん、暗号通貨を共有する環境においても前記理由と同様に潜在的両替需要者に暗号通貨を基盤とした外国為替市場情報を伝達するために、暗号通貨の買い−売り呼び値及び待機（気配）残高の情報を共有しなければならない。
【００４７】
本発明の外国為替需要者は銀行を介さず直接両替ができるので、最善のスプレッドの適用を受けることができ、このような市場参加者が増えるほど暗号通貨の均衡価格が外国為替市場と統一されて特定の国で暗号化通貨が高い価格または低い価格で取引される不均衡現象を解決することにも貢献することができる。
【００４８】
さらに、暗号通貨の価格変動が急激であってもＡ通貨基準暗号通貨価格とＢ通貨基準暗号通貨価格が正（＋）の相関関係の中で動くので、両替需要者が適用を受ける暗号通貨を媒介体とする両替及び外国為替取引の価格はより安定的になり、これにより暗号通貨の価格安定化にも助けになることができる。
【００４９】
これまで、上記実施例はブロックチェーン基盤のデジタル資産の一例として暗号通貨を用いた。しかし、本発明を実施するためには必ず暗号通貨を媒介体として利用する必要はない。ブロックチェーン技術に基づいてその実物がある一つの場所に帰属せず分散ネットワーク上に信頼できるように存在するならば、その対象が暗号通貨でなくても本発明が実施できる。従って、ビットコインやイーサリアムなど暗号通貨だけでなく実在価値が存在する他の証券などを対象にする証券型トークンなどブロックチェーン基盤のデジタル資産ならば何でも媒介体として活用が可能になる。このような実在価値が存在するデジタル資産は既存の暗号通貨とは異なって理論的評価基準でその価値を計算することができて、実在価値が存在するのでこれを投資しようとする潜在投資家もずっと多いはずである。従って、取引が既存の暗号通貨より活発になり、多くの取引量に基づいてより安定したブロックチェーン基盤のデジタル資産を媒介体とする外国為替市場を導き出すことができる。
【００５０】
一方、ブロックチェーン基盤デジタル資産の特性を利用して前記デジタル資産の取引を担い司る取引サーバーの統合とこれに基づいた外国為替取引仲介サーバー６の統合が可能であり、これとは別に法定通貨管理を分離して効率性を図ることもできる。つまり、ブロックチェーン基盤デジタル資産は、一国や地域に帰属した資産でなくブロックチェーンネットワーク上に存在する仮想の資産なので、このデジタル資産の取引を司るサーバーは、全世界どの地域でも配置が可能でこれを利用して多くの国に存在する取引サーバーを単一または少数の取引サーバーで統合することが可能である。例えば、大韓民国に前記ブロックチェーン基盤デジタル資産の取引サーバーを設置してこれをベースに大韓民国の利用者だけでなく米国の利用者も取引するならば、米国に取引サーバーを設置する必要がなくなる。ただし、法定通貨と前記デジタル資産との間の取引のためには、法定通貨の管理が必要であるため、この部分だけ別に大韓民国と米国で各々管理するならば、二つの国に各々存在する取引サーバーを統合することができる。このようにブロックチェーン基盤デジタル資産の取引サーバーとこれに基づいた外国為替取引仲介サーバー６を法定通貨管理と分離すると、各国に配置した多数の取引サーバーを単一または少数の取引サーバーで統合することが可能で、本発明の外国為替取引仲介サーバー６も単一または少数で統合が可能になり、この方法で効率性を最大化することができる。
【００５１】
一方、本発明の実施例に係る暗号通貨を含むブロックチェーン基盤のデジタル資産を媒介体とする両替及び外国為替取引方法は、単に前記一実施例に限定されず、その技術的要旨を離脱しない範囲内で様々な変更が可能である。
【符号の説明】
【００５２】
２      両替需要者端末
４      外国為替仲介情報出力アプリケーション
６      外国為替取引仲介サーバー
【図１】
2021512439.tif 000003
【図２】
2021512439.tif 000004
【図３】
2021512439.tif 000005
【図４】
2021512439.tif 000006
【図５】
2021512439.tif 000007
【図６】
2021512439.tif 000008
【図７】
2021512439.tif 000009
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
一つの暗号通貨を含むブロックチェーン基盤のデジタル資産が一つの取引所内で二つ以上の通貨で取引されるか、互いに異なる通貨で取引する取引所同士が契約などにより前記デジタル資産を共有するか、または互いに異なる通貨で取引する取引所同士が前記デジタル資産の取引に関する情報を共有する時、
ａ）前記ブロックチェーン基盤のデジタル資産に対して外国為替取引仲介サーバー（６）がＡ通貨基準に取引される買い−売り呼び値及び待機残高情報をＡ通貨基準ブロックチェーン基盤のデジタル資産取引サーバーから受信する過程と、
ｂ）前記ブロックチェーン基盤のデジタル資産に対して外国為替取引仲介サーバー（６）がＢ通貨基準に取引される買い−売り呼び値及び待機残高情報をＢ通貨基準ブロックチェーン基盤のデジタル資産取引サーバーから受信する過程と、
ｃ）外国為替取引仲介サーバー（６）が前記Ａ通貨基準ブロックチェーン基盤のデジタル資産買い呼び値及び待機残高とＢ通貨基準ブロックチェーン基盤のデジタル資産売り呼び値及び待機残高を考慮してＡ通貨基準外国為替買い呼び値及び待機残高を算出し、またはＢ通貨基準外国為替売り呼び値及び待機残高を算出する過程と、
ｄ）外国為替取引仲介サーバー（６）が前記Ａ通貨基準ブロックチェーン基盤のデジタル資産売り呼び値及び待機残高とＢ通貨基準ブロックチェーン基盤のデジタル資産買い呼び値及び待機残高を考慮してＡ通貨基準外国為替売り呼び値及び待機残高を算出し、またはＢ通貨基準外国為替買い呼び値及び待機残高を算出する過程からなり、
前記ｃ）過程とｄ）過程でＡ通貨またはＢ通貨基準に計算した結果を外国為替取引仲介サーバー６が両替需要者端末２で示すことができることを特徴とする、暗号通貨を含むブロックチェーン基盤のデジタル資産を媒介体とする両替及び外国為替取引方法。
【請求項２】
前記ａ）と前記ｂ）の過程は、順序が変わるかまたは同時に起きる過程であり、前記ｃ）過程と前記ｄ）過程とは、順序が変わるか同時に起きる過程である、請求項１に記載の暗号通貨を含むブロックチェーン基盤のデジタル資産を媒介体とする両替及び外国為替取引方法。
【請求項３】
前記外国為替取引仲介サーバー（６）は、待機残高を考慮しなかった最善の外国為替買い−売り呼び値もしくはその平均値、またはその逆数を現在の価格で公示するように処理する、請求項１に記載の暗号通貨を含むブロックチェーン基盤のデジタル資産を媒介体とする両替及び外国為替取引方法。
【請求項４】
前記外国為替取引仲介サーバー（６）は、実在する外国為替市場の公示価格を共に表示する、請求項１に記載の暗号通貨を含むブロックチェーン基盤のデジタル資産を媒介体とする両替及び外国為替取引方法。
【請求項５】
前記外国為替取引仲介サーバー（６）は、両替需要者の要請を受信して現在の両替可能な為替レートが両替需要者の要請以上（超過）または以下（未満）に到達した時自動で取引を処理する、請求項１に記載の暗号通貨を含むブロックチェーン基盤のデジタル資産を媒介体とする両替及び外国為替取引方法。
【請求項６】
一つの暗号通貨を含むブロックチェーン基盤のデジタル資産が一つの取引所内で二つ以上の通貨で取引されるか、互いに異なる通貨で取引する取引所同士が契約などにより前記デジタル資産を共有するか、または互いに異なる通貨で取引する取引所同士が前記デジタル資産取引に関する情報を共有する時、
ａ）外国為替取引仲介サーバー（６）がＡ通貨の一定金額に対するＢ通貨への両替要請を両替需要者から受信する過程と、
ｂ）前記一定金額のうち全部または一部のＡ通貨で単一または多数のブロックチェーン基盤のデジタル資産売り待機者から前記デジタル資産を買う過程と、
ｃ）前記買ったブロックチェーン基盤のデジタル資産をＢ通貨で単一または多数のブロックチェーン基盤のデジタル資産買い待機者に売る過程と、
ｄ）前記売ったＢ通貨を両替需要者に支給する過程からなる、暗号通貨を含むブロックチェーン基盤のデジタル資産を媒介体とする両替及び外国為替取引方法。
【請求項７】
空売りを利用して、前記ｃ）過程以後ｂ）過程で清算する、請求項６に記載の暗号通貨を含むブロックチェーン基盤のデジタル資産を媒介体とする両替及び外国為替取引方法。
【請求項８】
暗号通貨を含むブロックチェーン基盤のデジタル資産が一つの取引所内で二つ以上の通貨で取引されるか、互いに異なる通貨で取引する取引所同士が契約などにより前記デジタル資産を共有するか、または互いに異なる通貨で取引する取引所同士が前記デジタル資産の取引に関する情報を共有する時、
ａ）外国為替取引仲介サーバー（６）がＡ通貨の一定金額に対するＢ通貨への両替要請を両替需要者から受信する過程と、
ｂ）単一または多数のＡ通貨基準ブロックチェーン基盤のデジタル資産売り待機者に前記一定金額の全部または一部を支給して前記デジタル資産の全部または一部を単一または多数のＢ通貨基準ブロックチェーン基盤のデジタル資産買い待機者に移転する過程と、
ｃ）前記単一または多数のＢ通貨基準ブロックチェーン基盤のデジタル資産買い待機者の買い待機金額のうち全部または一部を両替需要者に支給する過程からなる、暗号通貨を含むブロックチェーン基盤のデジタル資産を媒介体とする両替及び外国為替取引方法。
【国際調査報告】
2021512439.tif 000010
2021512439.tif 000011
2021512439.tif 000012
2021512439.tif 000013